(57)【要約】【課題】操作性の高い端子着脱装置を提供する。【解決手段】端子着脱装置１は、端子３を挿入可能な挿入口を有する筐体と、筐体に挿入された端子３に対し、第１位置から第２位置へ移動することにより、端子３を係止する係止部１２１を有する可動部材１２とを備えている。可動部材１２は、第２位置にある場合に、筐体から突出する突出部１２０を有し、突出部１２０が筐体側へ押下されたとき、可動部材１２は、第２位置から第１位置へ移動することにより、端子３の係止を解除する。【選択図】図６
2019091569.tif 000002
【特許請求の範囲】
【請求項１】
端子を挿入可能な挿入口を有する筐体と、
前記筐体に挿入された前記端子に対し、第１位置から第２位置へ移動することにより、前記端子を係止する係止部を有する可動部材と
を備え、
前記可動部材は、第２位置にある場合に、前記筐体から突出する突出部を有し、
前記突出部が前記筐体側へ押下されたとき、前記可動部材は、第２位置から第１位置へ移動することにより、前記端子の係止を解除する
ことを特徴とする端子着脱装置。
【請求項２】
請求項１に記載の端子着脱装置であって、
前記可動部材は、
前記筐体に挿入される前記端子が当接する当接面を有し、
前記端子が前記当接面に当接した状態で挿入された場合、第２位置から第１位置へ移動し、
前記端子が係止可能な位置まで挿入されたとき、前記第１位置から第２位置へ移動可能となる
ことを特徴とする端子着脱装置。
【請求項３】
請求項２に記載の端子着脱装置であって、
前記端子の挿入方向と、前記可動部材の移動方向とは直交し、
前記当接面は、前記端子の挿入方向に対して傾斜している
ことを特徴とする端子着脱装置。
【請求項４】
請求項１乃至請求項３のいずれか１項に記載の端子着脱装置であって、
前記可動部材は、
第２位置に位置することを視認可能に表示する表示部を有し、
前記表示部は、
前記可動部材が第１位置に位置する場合より、第２位置に位置する場合に、前記筐体から大きく露出する
ことを特徴とする端子着脱装置。
【請求項５】
請求項４に記載の端子着脱装置であって、
前記筐体は、
前記可動部材の前記表示部が露出した場合に、露出した前記表示部を間接的に視認可能とする視認補助部を有する
ことを特徴とする端子着脱装置。
【請求項６】
請求項１乃至請求項５のいずれか１項に記載の端子着脱装置であって、
前記挿入口は、複数であり、
異なる前記挿入口から挿入されて前記可動部材の前記係止部にてそれぞれ係止された複数の前記端子を電気的に接続する接続部材を備え、
前記接続部材は、
挿入された前記端子間を直線状に接続し、かつ前記可動部材との接触を避けるべく形成された湾曲部を有する
ことを特徴とする端子着脱装置。
【請求項７】
請求項６に記載の端子着脱装置であって、
前記接続部材の湾曲部は、両側部の対向しない位置にそれぞれ形成されている
ことを特徴とする端子着脱装置。
【請求項８】
請求項１乃至請求項５のいずれか１項に記載の端子着脱装置であって、
前記筐体は、
対向する第１面及び第２面を有し、
前記挿入口は、前記第１面及び第２面にそれぞれ形成されており、
前記第１面側の挿入口から挿入された端子を係止する第１の可動部材の突出部は、係止部材より、第２面側に配設され、
前記第２面側の挿入口から挿入された端子を係止する第２の可動部材の突出部は、係止部材より第１面側に配設されており、
前記第１の可動部材及び前記第２の可動部材は、前記第１の可動部材の突出部と、前記第２の可動部材の突出部とを結ぶ直線が、前記第１面側の挿入口と前記第２面側の挿入口とを結ぶ直線に対して斜交するように配設されている
ことを特徴とする端子着脱装置。
【請求項９】
請求項１乃至請求項８のいずれか１項に記載に端子着脱装置であって、
他の電気機器に接続可能な補助端子を備え、
前記補助端子は、前記筐体に挿入された前記端子と電気的に接続される
ことを特徴とする端子着脱装置。
【発明の詳細な説明】
【技術分野】
【０００１】
本発明は、端子を着脱可能な端子着脱装置に関する。
【背景技術】
【０００２】
配電盤、工作機械、ＰＶ（Ｐｈｏｔｏｖｏｌｔａｉｃｓ；太陽光発電）機器等の電装設備において、電力線、信号線等の各種線材の末端に設けられた端子を接続するために端子台が用いられている。端子台に端子を接続するための基本的な技術としては、端子を端子台にネジ止めすることにより固定し、ネジを外すことにより端子を外す構造が一般的である。
【０００３】
ネジ止め及びネジ外しに関する操作性を改善するため、例えば、特許文献１に開示された端子台は、端子に形成された孔に挿入可能なテーパー面が形成された凸部を有するロッドが設けられている。特許文献１に開示された端子台では、端子に形成された孔に凸部が挿入されてロック状態となる。そして、使用者が、ロッドのつまみ部を引き上げることにより、端子を外すことが可能となる。
【先行技術文献】
【特許文献】
【０００４】
【特許文献１】特開平９−１６１８６８号公報
【発明の概要】
【発明が解決しようとする課題】
【０００５】
特許文献１では、ネジを用いずに端子を取り付け、また取り外しすることが可能である。
【０００６】
しかしながら、本願発明者は、つまみ部を引き上げるという操作には改善の余地があることを見出した。
【０００７】
本発明は斯かる事情に鑑みてなされたものであり、より操作性の高い端子着脱装置の提供を目的とする。
【課題を解決するための手段】
【０００８】
上記課題を解決するため、本願記載の端子着脱装置は、端子を挿入可能な挿入口を有する筐体と、前記筐体に挿入された前記端子に対し、第１位置から第２位置へ移動することにより、前記端子を係止する係止部を有する可動部材とを備え、前記可動部材は、第２位置にある場合に、前記筐体から突出する突出部を有し、前記突出部が前記筐体側へ押下されたとき、前記可動部材は、第２位置から第１位置へ移動することにより、前記端子の係止を解除することを特徴とする。
【０００９】
また、本願記載の端子着脱装置において、前記可動部材は、前記筐体に挿入される前記端子が当接する当接面を有し、前記端子が前記当接面に当接した状態で挿入された場合、第２位置から第１位置へ移動し、前記端子が係止可能な位置まで挿入されたとき、前記第１位置から第２位置へ移動可能となることを特徴とする。
【００１０】
また、本願記載の端子着脱装置において、前記端子の挿入方向と、前記可動部材の移動方向とは直交し、前記当接面は、前記端子の挿入方向に対して傾斜していることを特徴とする。
【００１１】
また、本願記載の端子着脱装置において、前記可動部材は、第２位置に位置することを視認可能に表示する表示部を有し、前記表示部は、前記可動部材が第１位置に位置する場合より、第２位置に位置する場合に、前記筐体から大きく露出することを特徴とする。
【００１２】
また、本願記載の端子着脱装置において、前記筐体は、前記可動部材の前記表示部が露出した場合に、露出した前記表示部を間接的に視認可能とする視認補助部（反射部）を有することを特徴とする。
【００１３】
また、本願記載の端子着脱装置において、前記挿入口は、複数であり、異なる前記挿入口から挿入されて前記可動部材の前記係止部にてそれぞれ係止された複数の前記端子を電気的に接続する接続部材を備え、前記接続部材は、挿入された前記端子間を直線状に接続し、かつ前記可動部材との接触を避けるべく形成された湾曲部を有することを特徴とする。
【００１４】
また、本願記載の端子着脱装置において、前記接続部材の湾曲部は、両側部の対向しない位置にそれぞれ形成されていることを特徴とする。
【００１５】
また、本願記載の端子着脱装置において、前記接続部材の湾曲部は、両側部の対向しない位置にそれぞれ形成されていることを特徴とする。
【００１６】
また、本願記載の端子着脱装置において、前記筐体は、対向する第１面及び第２面を有し、前記挿入口は、前記第１面及び第２面にそれぞれ形成されており、前記第１面側の挿入口から挿入された端子を係止する第１の可動部材の突出部は、係止部材より、第２面側に配設され、前記第２面側の挿入口から挿入された端子を係止する第２の可動部材の突出部は、係止部材より第１面側に配設されており、前記第１の可動部材及び前記第２の可動部材は、前記第１の可動部材の突出部と、前記第２の可動部材の突出部とを結ぶ直線が、前記第１面側の挿入口と前記第２面側の挿入口とを結ぶ直線に対して斜交するように配設されていることを特徴とする。
【００１７】
本願記載の端子着脱装置は、可動部材の突出部を押下することにより、端子の係止が解除される。
【発明の効果】
【００１８】
本発明に係る端子着脱装置は、簡単な操作で端子を着脱することが可能である等、優れた効果を奏する。
【図面の簡単な説明】
【００１９】
【図１】本願記載の端子着脱装置の外観の一例を示す概略斜視図である。
【図２】本願記載の端子着脱装置の外観の一例を示す概略斜視図である。
【図３】本願記載の端子着脱装置の外観の一例を示す概略外観図である。
【図４】本願記載の端子着脱装置の外観及び使用者の視線の一例を示す模式図である。
【図５】本願記載の端子着脱装置に対して使用可能な端子の一例を示す外観斜視図である。
【図６】本願記載の端子着脱装置の内部構造及び架台を示す概略斜視図である。
【図７】本願記載の端子着脱装置に用いられる可動部材の外観の一例を示す概略外観図である。
【図８】本願記載の端子着脱装置に用いられる接続部材の外観の一例を示す概略正面図である。
【図９】本願記載の端子着脱装置の内部構造を示す概略側面図である。
【図１０】本願記載の端子着脱装置の内部構造を示す概略側面図である。
【図１１】本願記載の端子着脱装置の内部構造を示す概略側面図である。
【図１２】本願記載の端子着脱装置の内部構造を示す概略側面図である。
【図１３】本願記載の端子着脱装置の外観の一例を示す概略斜視図である。
【図１４】本願記載の端子着脱装置の外観の一例を示す概略斜視図である。
【図１５】本願記載の端子着脱装置の外観及び使用者の視線の一例を示す模式図である。
【図１６】本願記載の端子着脱装置の外観の一例を示す概略正面図である。
【図１７】本願記載の端子着脱装置及び使用者の視線の一例を示す模式図である。
【発明を実施するための形態】
【００２０】
以下、本発明の実施形態について図面を参照しながら説明する。
【００２１】
＜適用例＞
本発明に係る端子着脱装置は、例えば、配電盤、工作機械、ＰＶ機器等の電装設備において、電力線、信号線等の各種線材の末端に設けられた端子を接続するための端子台等の様々な用途に用いることが可能である。
【００２２】
第１の実施形態
＜構成例＞
図１及び図２は、本願記載の端子着脱装置１の外観の一例を示す概略斜視図である。図１は、端子着脱装置１の外観を前方斜め上からの視点で示しており、図２は、端子着脱装置１の外観を後方斜め下からの視点で示している。また、図３は、本願記載の端子着脱装置１の外観の一例を示す概略外観図である。図３（ａ）、図３（ｂ）及び図３（ｃ）は、それぞれ上面図、正面図及び右側面図である。なお、以降の説明において、端子着脱装置１の方向については、図３（ｂ）に向かって、手前側を前、奥側を後、上方を上、下方を下として表現するが、説明の便宜上の方向であり、端子着脱装置１の取付方向を限定するものではない。本願記載の端子着脱装置１は、略長方形状をなす筐体１０を備え、筐体１０の裏面に取付具１１が設けられている。図１乃至図３では、筐体１０の裏面に設けられた取付具１１により、略水平方向に配設された横材を有する架台２に取り付けられ、互いに対向する面である上面（第１面）１０ａ及び下面（第２面）１０ｂに開設された挿入口１００に端子３が挿入された形態を示している。
【００２３】
端子着脱装置１の筐体１０の前面には、２箇所の挿通孔１０１が開設されており、それぞれの挿通孔１０１から筐体１０の外側へ、可動部材１２の突出部１２０が突出している。可動部材１２の突出部１２０は、円柱状をなし、筐体１０の内側へ押下可能な押釦として使用される。なお、図１では、上方に位置する突出部１２０は押下された状態を示しており、下方に位置する突出部１２０は押下されていない状態を示している。円柱状をなす突出部１２０の上側の側面及び下側の側面には、長辺が軸方向に沿って形成された矩形状の面である表示部１２０ａが形成されており、表示部１２０ａとなる矩形状の面は、緑、銀等の目立つ色に着色されている。表示部１２０ａは、前後に可動する可動部材１２の位置を表示する機能を有し、使用者は、着色された表示部１２０ａの露出状況を視認することにより、可動部材１２の突出部１２０の位置を認識することができる。また、筐体１０の前面には、挿通孔１０１の周囲の表示部１２０ａに対応する位置に、表示部１２０ａを容易に視認可能とすべく、視認補助溝１０２が溝状の切り欠きとして刻設されている。刻設された視認補助溝１０２の底部の表面は、鏡面加工等の加工が施された反射部（視認補助部）１０２ａとなっている。露出した表示部１２０ａの色が視認補助溝１０２の反射部１０２ａに反射されるので、使用者は、表示部１２０ａを間接的に視認可能となり、表示部１２０ａの露出状況を視認し易くなる。表示部１２０ａは、可動部材１２が、後方側（第１位置）に位置する場合より、前方側（第２位置）に位置する場合に、筐体１０から大きく露出する。即ち、可動部材１２が前方側から後方側へ移動することにより、大きく露出していた表示部１２０ａは、筐体１０内に隠れ、又は露出部分が小さくなる。
【００２４】
反射部１０２ａについて更に説明する。図４は、本願記載の端子着脱装置１の外観及び使用者の視線の一例を示す模式図である。図４では、使用者が端子着脱装置１の反射部１０２ａを視認している状況を模式的に示している。前述の様に、露出した表示部１２０ａの色が反射部１０２ａに反射されるので、使用者は、表示部１２０ａを間接的に視認可能となる。より詳細には、図４に示すように、使用者からの視線が、可動部材１２の表示部１２０ａを直接視認することができない端子着脱装置１の正面、斜め等の位置にある場合であっても、反射部１０２ａを視認することにより、表示部１２０ａを間接的に視認することが可能となる。しかも、図４に示す視線からは、端子着脱装置１の両方の可動部材１２の表示部１２０ａ又は反射部１０２ａを同時に視認可能となるので、使用者にとって、作業性及び利便性の向上を見込むことができる。
【００２５】
構成例の説明に戻る。図５は、本願記載の端子着脱装置１に対して使用可能な端子３の一例を示す外観斜視図である。図５に示すように、端子着脱装置１に着脱可能な端子３は、電力線、信号線等の線材３０の先端に、例えば、かしめられた状態で取り付けられている。ここでは、端子３の形状として、係止孔３１が開設された平板環状の丸端子を例示しているが、これに限るものではなく、平面視矩形状の端子等の様々な形状の端子３を用いることが可能である。端子３部分は、金属等の導電体で形成されており、線材３０部分は、一又は複数本の金属線等の導電体を一重又は多重に絶縁体で被覆して形成されている。
【００２６】
図６は、本願記載の端子着脱装置１の内部構造及び架台２を示す概略斜視図である。図６は、端子着脱装置１の筐体１０を外し、内部の構造を前方斜め上からの視点で示している。また、外部の構成との位置関係を容易に把握できるように、架台２の横材を示している。端子着脱装置１の筐体１０内の上下には、筐体１０の挿入口１００から挿入された端子３を案内する金属製の挿入ガイド１３が配設されている。挿入ガイド１３に案内されて挿入された端子３は、上下の端子３を電気的に接続する金属製の接続部材１６に当接するように押圧されて挿入ガイド１３に保持される。挿入ガイド１３は、矩形状をなす金属板の両端を内側に折り曲げて金属板の中央部に当接するようにして形成されている。そして、挿入ガイド１３を形成する金属板の折り曲げられた部位により、挿入された端子３が左右にずれないように案内される。また、挿入ガイド１３は、折り曲げられた両端により、挿入された端子３を押圧することで端子３を保持する。
【００２７】
図６では、挿入ガイド１３に案内されて挿入された端子３の係止孔３１に対し、可動部材１２の係止部１２１が挿通し、係止部１２１により端子３を係止している状態を示している。可動部材１２は、前後に移動可能であり、可動部材１２の後方には、可動部材１２を前方に付勢する圧縮コイルバネ等の付勢部材１４が配設されている。可動部材１２の突出部１２０の側面には、円柱状をなす突出部１２０の軸方向に２つ並んだ球冠状に凹む凹部１２０ｂが穿設されている。可動部材１２の側方には、圧縮コイルバネにより可動部材１２方向へ付勢されている感触ピン１５が配設されており、感触ピン１５の先端は、可動部材１２の突出部１２０に穿設された凹部１２０ｂに嵌合するように、球冠状に突出した形状に形成されている。そして、可動部材１２が前後の可動範囲の後方側（第１位置）に位置する場合、感触ピン１５の先端は、可動部材１２の前方の凹部１２０ｂに嵌合する。また、可動部材１２が可動範囲内で後方側（第１位置）から前方へ移動し、前方側（第２位置）に位置する場合、感触ピン１５の先端は、可動部材１２の後方の凹部１２０ｂに嵌合する。感触ピン１５が、可動部材１２の突出部１２０に穿設された前後の凹部１２０ｂに嵌合する時に「カチッ」という所謂クリック音が発生し、また嵌合させる時及び嵌合状態から外す時に、使用者は操作感の変化を感得することができる。このような音及び操作感の変化により、使用者は、可動部材１２が、下死点となる後方側の位置（第１位置）又は上死点となる前方側の位置（第２位置）への到達又は離脱を容易に認識することが可能となる。なお、説明の便宜上、感触ピン１５が凹部１２０ｂに嵌合する下死点となる後方側の位置を第１位置とし、上死点となる前方側の位置を第２位置として記載しているが、本願記載の端子着脱装置１において、第１位置とは、端子３の係止が解除された位置又は端子３を挿入可能な位置を示し、第２位置とは、端子３を係止可能な位置を示すものである。即ち、必ずしも下死点が第１位置となり、上死点が第２位置なる訳ではない。
【００２８】
可動部材１２について詳述する。図７は、本願記載の端子着脱装置１に用いられる可動部材１２の外観の一例を示す概略外観図である。図７（ａ）は、正面図であり、図７（ｂ）は、右側面図である。可動部材１２は、円柱状をなす突出部１２０と、突出部１２０より軸方向の長さが短い円柱状をなす係止部１２１とのそれぞれの後端を板状の連結部１２２で繋いだ略J字状をなしている。可動部材１２の突出部１２０は、前述のように側面に表示部１２０ａ及び凹部１２０ｂを有している。円柱状をなす係止部１２１は、前面となる底面から上側の側面にかけて傾斜した当接面１２１ａが形成されてテーパー状になっている。筐体１０内に端子３が挿入された場合、挿入された端子３は、係止部１２１の当接面１２１ａに当接し、使用者が端子３を更に押し込むことにより、端子３に押圧された可動部材１２は、付勢部材１４の付勢力に抗して後方へ移動する。可動部材１２を含めた端子着脱装置１の動作の詳細については後述する。このように、可動部材１２は、使用者の操作に用いられる突出部１２０と、端子３を係止する係止部１２１とを一つの部材で実現しているため、端子着脱装置１全体としての部品点数の削減を実現し、製造コストの削減、管理コストの削減、保全性能の向上等の様々な効果を奏する。
【００２９】
接続部材１６について詳述する。図８は、本願記載の端子着脱装置１に用いられる接続部材１６の外観の一例を示す概略正面図である。接続部材１６は、矩形板状をなす金属材料等の導電体で形成されている。接続部材１６は、長手方向の両端近傍に、平面視円形状の貫通孔１６０が開設されている。筐体１０内に端子３が挿入された場合、挿入された端子３は、接続部材１６に重畳し、端子３の係止孔３１と、接続部材１６の貫通孔１６０とは連通状態となる。そして、連通状態となった端子３の係止孔３１及び接続部材１６の貫通孔１６０に、可動部材１２の係止部１２１が挿嵌することにより、可動部材１２が端子３を係止する。また、矩形状をなす接続部材１６の長辺となる両側部には、それぞれ内側に凹むように湾曲する湾曲部１６１が形成されている。湾曲部１６１は、両側部の互いに対向しない位置に互い違いに形成されているため、接続部材１６は、全体として略Ｓ字状に湾曲している。なお、両側部の対向しない位置に形成されたそれぞれの湾曲部１６１は、可動部材１２の突出部１２０の位置に対応しており、接続部材１６が突出部１２０に接触しないように形成されている。即ち、接続部材１６は、上下両方から挿入された端子３間を直線状に接続しており、十分な幅を有することにより、十分な送電性能を有している。しかも、接続部材１６は、両側部の対向しない位置に湾曲部１６１を形成することにより、十分な幅を確保しながらも、可動部材１２の配置間隔を広げることなく、端子着脱装置１全体としての小型化を実現している。
【００３０】
図６に戻り、端子着脱装置１の筐体１０内に収納された各部材の配置について説明する。筐体１０の対向する面である上面（第１面）１０ａ及び下面（第２面）１０ｂに開設された挿入口１００に端子３が挿入され、上下の挿入口１００からそれぞれ挿入された端子３は、上下の可動部材１２にて係止される。具体的には、上面１０ａの挿入口１００から挿入された端子３は、上側に位置する可動部材１２（以降、必要に応じて第１の可動部材１２ａという）の係止部１２１に係止され、下面１０ｂの挿入口１００から挿入された端子３は、下側に位置する可動部材１２（以降、必要に応じて第２の可動部材１２ｂという）の係止部１２１に係止される。第１の可動部材１２ａの突出部１２０は、第１の可動部材１２ａの係止部１２１より、下面（第２面）１０ｂ側で、かつ接続部材１６の左側方に位置するように配置されているため、突出部１２０は、端子３を係止した係止部１２１の左斜め下方に位置している。また、第２の可動部材１２ｂの突出部１２０は、第２の可動部材１２ｂの係止部１２１より、上面（第１面）１０ａ側で、かつ接続部材１６の右側方に位置するように配置されているため、突出部１２０は、端子３を係止した係止部１２１の右斜め上方に位置している。そして、上面１０ａから挿入される端子３を係止する第１の可動部材１２ａの突出部１２０は、下面１０ｂから挿入される端子３を係止する第２の可動部材１２ｂの突出部１２０より、左斜め上に位置している。即ち、第１の可動部材１２ａ及び第２の可動部材１２ｂは、第１の可動部材１２ａの突出部１２０と、第２の可動部材１２ｂの突出部１２０とを結ぶ直線が、第１面側の挿入口１００と第２面側の挿入口１００とを結ぶ直線に対して斜交するように配置されている。上面１０ａから挿入された端子３の係止に使用される第１の可動部材１２ａの突出部１２０が、下面１０ｂから挿入された端子３の係止に使用される第２の可動部材１２ｂの突出部１２０より上方に位置することで、端子着脱装置１を視認する使用者は、例えば、図３（特に図３（ｂ））に示す状態の端子着脱装置１を視認することになるので、端子３と当該端子３に関する可動部材１２の突出部１２０との関係を直感的に把握することが可能であり、利便性に優れている。また、第１の可動部材１２ａの突出部１２０と、第２の可動部材１２ｂの突出部１２０との位置は、完全な上下方向ではなく、斜めになるように配置されているので、端子着脱装置１の上下方向の長さを短縮して、端子着脱装置１を小型化することを可能としている。しかも、接続部材１６の両側部の対向しない位置に形成されたそれぞれの湾曲部１６１に、それぞれの突出部１２０が位置するように配置されるので、端子着脱装置１の左右方向の長さを短縮して、端子着脱装置１を小型化することを可能としている。
【００３１】
次に、本願記載の端子着脱装置１の動作について説明する。図９、図１０、図１１及び図１２は、本願記載の端子着脱装置１の内部構造を示す概略側面図である。図９乃至図１２は、端子着脱装置１の動作を示している。なお、作図の都合上、図９乃至図１２については、端子着脱装置１の上方向が図面の右方向となるように図示している。
【００３２】
図９は、端子着脱装置１の上面１０ａ側（図９に向かって右側）から、挿入口１００に端子３を挿入しようとする状態を示している。なお、下面１０ｂ側（図９に向かって左側）には、既に端子３が挿入されている。図９において、第１の可動部材１２ａ及び第２の可動部材１２ｂは、両方、前後の可動範囲の前方（図９に向かって上側）となる第２位置に位置しており、それぞれの突出部１２０の後方側の凹部１２０ｂに、感触ピン１５の球冠状の先端が嵌合している。図９に示す状態において、第１の可動部材１２ａの突出部１２０の表示部１２０ａ及び第２の可動部材１２ｂの突出部１２０の表示部１２０ａは、いずれも筐体１０の外部から容易に視認できるように露出しているため、使用者は、それぞれの可動部材１２が第２位置に位置し、ロック状態であると認識することができる。
【００３３】
図１０は、図９に示す状態から、挿入ガイド１３に沿って端子３を挿入し、挿入した端子３が第１の可動部材１２ａの係止部１２１の当接面１２１ａに当接し、端子３の先端が当接面１２１ａに当接した状態から、更に、端子３を押し込んだ状態を示している。端子３の先端が当接面１２１ａに当接した状態から、端子３を押し込むことにより、傾斜した当接面１２１ａが押圧され、可動部材１２が後方の第１位置又は第１位置の近傍まで押し込まれる。可動部材１２は、付勢部材１４により、前方へと付勢されているが、端子３を押し込むことにより、可動部材１２は付勢部材１４の付勢力に抗して後方へと移動する。図１０に示す状態において、第１の可動部材１２ａの突出部１２０の表示部１２０ａは、筐体１０の内部に隠れるか、又は露出部分が小さくなるため、使用者は可動部材１２が第２位置から離れ、ロックが解除された状態であると認識することができる。また、図１０では、第１位置まで移動した可動部材１２の突出部１２０の前方側の凹部１２０ｂに、感触ピン１５が嵌合した状態を示しているが、必ずしも感触ピン１５の嵌合による可動部材１２の第１位置での保持は必要ではない。なお、可動部材１２は、当接させた端子３を押し込むのではなく、使用者が、付勢部材１４の付勢力に抗して突出部１２０を押下することにより、第２位置から第１位置まで移動させ、第１位置まで可動部材１２を移動させた状態で、端子３を挿入するようにしても良い。可動部材１２の突出部１２０を押下する操作は、引き上げる操作と比べて作業性が良く、突出部１２０の押下操作は容易に行うことができる。
【００３４】
図１１は、図１０に示す状態から、挿入ガイド１３に沿って更に端子３を押し込んで、端子３と接続部材１６とが重畳し、端子３の係止孔３１と接続部材１６の貫通孔１６０とが連通状態となった状態を示している。端子３の係止孔３１と接続部材１６の貫通孔１６０とが連通状態となることにより、可動部材１２が可動範囲内の後方の第１位置から前方の第２位置へ移動し、端子３の係止孔３１及び接続部材１６の貫通孔１６０に、可動部材１２の係止部１２１が挿嵌する。連通状態となった端子３の係止孔３１及び接続部材１６の貫通孔１６０に、可動部材１２の係止部１２１が挿嵌することにより、可動部材１２が端子３を係止する。係止部１２１の下側の側面（端子３の挿入方向と反対側の側面）は、傾斜していないため、端子３を引き抜く方向に力を加えても、可動部材１２が移動することはなく、端子３が挿入された位置で保持されるロック状態となる。可動部材１２は、付勢部材１４により前方へと付勢されているため、端子３の係止孔３１及び接続部材１６の貫通孔１６０が連通した状態となると、付勢部材１４の付勢力により前方へと押し出される。なお、端子３の係止孔３１及び接続部材１６の貫通孔１６０が連通した場合に、可動部材１２が感触ピン１５にて後方の第１位置に保持されるように設計した形態では、感触ピン１５を凹部１２０ｂから外す簡単な操作が必要となる。図１１に示す状態において、第１の可動部材１２ａの突出部１２０の表示部１２０ａは、筐体１０の外部から容易に視認できるように露出しており、使用者は、第１の可動部材１２ａが第２位置に位置し、ロック状態であると認識することができる。
【００３５】
図１２は、図１１に示す状態から、第１の可動部材１２ａを前方の第２位置から後方の第１位置へ押下した状態を示している。使用者は、付勢部材１４の付勢力に抗して第２位置に位置する可動部材１２の突出部１２０を押下することにより、可動部材１２が、第２位置から第１位置へ移動し、可動部材１２の係止部１２１による係止が解除される。図１２に示す状態において、使用者は、係止部１２１による係止が解除された端子３を、端子着脱装置１から引き抜くことが可能となる。係止を解除する操作は、可動部材１２の突出部１２０を押下する操作となるので、引き出す操作と比べて簡単で操作性が良い。図１２に示す状態において、第１の可動部材１２ａの突出部１２０の表示部１２０ａは、筐体１０の内部に隠れるか、又は露出部分が小さくなるため、使用者は可動部材１２が第２位置から離れ、ロックが解除された状態であると認識することができる。
【００３６】
以上のように、本願記載の端子着脱装置１は、突出部１２０及び係止部１２１を有する可動部材１２により、簡単な操作で端子３を着脱することが可能である。また、このような操作性の向上を、可動部材１２一つで実現することができるで、端子着脱装置１全体としての部品点数の削減を実現することが可能である。更に、本願記載の端子着脱装置１は、端子着脱装置１の小型化、ロック状態の視認化等の様々な優れた効果を奏する。
【００３７】
第２の実施形態
本願記載の端子着脱装置１の第２の実施形態について説明する。第２の実施形態は、第１の実施形態において、端子着脱装置１に６本の端子３を挿入可能とした形態である。なお、第２の実施形態において、第１の実施形態と実質的に同様の構成については、実施の形態１と同様の符号を付し、また、方向については第１の実施形態と同様であるものとし、その説明を省略する。
【００３８】
図１３は、本願記載の端子着脱装置１の外観の一例を示す概略斜視図である。図１３は、第２の実施形態に係る端子着脱装置１の外観を前方斜め下からの視点で示している。第２の実施形態に係る端子着脱装置１の筐体１０には、互いに対向する面である上面１０ａ及び下面１０ｂに、それぞれ３箇所、合計で６箇所の挿入口１００が開設されており、図１３にでは、それぞれの挿入口１００に端子３が挿入された形態を示している。なお、筐体１０の前面には、端子３の挿入方向を示す矢印形状の窪みが設けられている。
【００３９】
端子着脱装置１の筐体１０の前面には、それぞれの挿入口１００に対応するように、合計で６箇所の挿通孔１０１が開設されており、それぞれの挿通孔１０１から筐体１０の外側へ、可動部材１２の突出部１２０が突出している。なお、筐体１０内において、各端子３間を接続する接続部材１６は、適宜設計することが可能であり、全ての端子３を電気的に接続するようにしても良く、任意の端子３組同士を接続するようにしても良い。更には、単に端子３間を接続するだけでなく、必要に応じて電気回路を配設するようにし、端子３と電気回路とを接続するようにしても良い。その他の構成及び動作については、第１の実施形態と実質的に同様であるので、その説明を省略する。
【００４０】
以上のように本願記載の端子着脱装置１は、第１の実施形態に示したように、２本の端子３間を接続するだけでなく、６本の端子３間、更にはそれ以外の数の端子間を接続する形態に展開することが可能である。また、第２の実施形態では、可動部材１２の突出部１２０は、矩形状をなす筐体１０の前面の長辺及び短辺に対し、平行又は直交する方向に並べられている。即ち、突出部１２０は、必ずしも対向する挿入口１００を結ぶ直線に対して、斜交するように並べる必要は無く、平行又は直交するように並べる等、様々な配置に展開することが可能である。
【００４１】
第３の実施形態
本願記載の端子着脱装置１の第３の実施形態について説明する。第３の実施形態は、第１の実施形態において、端子着脱装置１の一の面に２本の端子３を挿入可能とし、更に図示しない基板に実装可能とした形態である。なお、第３の実施形態において、第１の実施形態と実質的に同様の構成については、実施の形態１と同様の符号を付し、また、方向については第１の実施形態と同様であるものとし、その説明を省略する。
【００４２】
図１４は、本願記載の端子着脱装置１の外観の一例を示す概略斜視図である。図１４（ａ）は、第３の実施形態に係る端子着脱装置１の外観を、斜め前方からの視点で示し、図１４（ｂ）は、斜め後方からの視点で示している。第３の実施形態に係る端子着脱装置１の筐体１０には、下面１０ｂに、２箇所の挿入口１００が開設されており、図１４では、それぞれの挿入口１００に端子３が挿入された形態を示している。なお、上面１０ａには、挿入口１００は開設されていない。
【００４３】
また、端子着脱装置１の筐体１０の裏面には、半田付け等の方法により、基板等の電気機器（図示せず）に実装可能とすべく、２本の補助端子１７が配設されている。２本の補助端子１７は、筐体１０内で端子３と接続されている。
【００４４】
第３の実施形態に係る端子着脱装置１の視認補助溝１０２及び反射部１０２ａについて説明する。図１５は、本願記載の端子着脱装置１の外観及び使用者の視線の一例を示す模式図である。図１５は、端子着脱装置１の外観を前方斜め下からの視点で示しており、更に、使用者が端子着脱装置１の表示部１２０ａを視認している状況を模式的に示している。図１６は、本願記載の端子着脱装置１の外観の一例を示す概略正面図である。図１７は、本願記載の端子着脱装置１及び使用者の視線の一例を示す模式図である。図１７は、端子着脱装置１の一部を上下前後の平面で切断し、右側からの視点の断面として模式的に示し、更に、使用者が端子着脱装置１の反射部１０２ａを視認している状況を模式的に示している。端子着脱装置１の筐体１０の前面には、２箇所の挿通孔１０１が開設されており、それぞれの挿通孔１０１を周囲を囲むように、円筒状をなす壁部１０３が突設されている。挿通孔１０１を囲む壁部１０３のうち、可動部材１２の突出部１２０の表示部１２０ａに対応する位置、ここでは壁部１０３の下部に、切り欠きが視認補助溝１０２として刻設されている。また、視認補助溝１０２の底部の表面は、鏡面加工等の加工が施された反射部１０２ａとなっている。
【００４５】
表示部１２０ａの視認について更に説明する。第１の実施形態と同様に、筐体１０から露出した表示部１２０ａの色が反射部１０２ａに反射されるので、使用者は、視認補助溝１０２を介して表示部１２０ａを直接視認する以外にも、反射部１０２ａにて反射した表示部１２０ａを間接的に視認可能となる。その他の構成及び動作については、第１の実施形態と実質的に同様であるので、その説明を省略する。
【００４６】
以上のように、本願記載の端子着脱装置１は、第１の実施形態に示したように、対向する２面に挿入口１００を開設するだけでなく、１面のみ、更には、３面以上の面に挿入口１００を開設して、それぞれ端子３を挿入することが可能である。また、挿入口１００に挿入される端子以外にも、外部の基板等の装置への実装に用いる補助端子１７等の様々な部材を取り付けることが可能である。しかも、視認補助溝１０２及び反射部１０２ａの形状は適宜設計することが可能である。
【００４７】
本発明は、以上説明したそれぞれの実施形態に限定されるものではなく、他の様々な形態で実施することが可能である。そのため、上述した実施形態はあらゆる点で単なる例示に過ぎず、限定的に解釈してはならない。本発明の技術範囲は、請求の範囲によって説明するものであって、明細書本文には何ら拘束されない。更に、請求の範囲の均等範囲に属する変形及び変更は、全て本発明の範囲内のものである。
【００４８】
例えば、前記実施形態では、表示部１２０ａの表示を補助する視認補助部として、反射部１０２ａを用いた形態を示しているが、露出した表示部１２０ａの表示を間接的に視認可能であれば、鏡面加工以外の方法、例えば反射材の貼付にて反射させるようにしても良い。更には、可動部材１２の位置に応じて点灯するＬＥＤを配設し、表示部１２０ａの表示を補助する視認補助部として用いる等、様々な形態に展開することが可能である。
【符号の説明】
【００４９】
１        端子着脱装置
１０      筐体
１０ａ    上面（第１面）
１０ｂ    下面（第２面）
１００    挿入口
１０１    挿通孔
１０２ａ  反射部（視認補助部）
１２      可動部材
１２ａ    第１の可動部材
１２ｂ    第２の可動部材
１２０    突出部
１２０ａ  表示部
１２１    係止部
１２１ａ  当接面
１２２    連結部
１６      接続部材
１６０    貫通孔
１６１    湾曲部
１７      補助端子
２        架台
３        端子
３１      係止孔
【図１】
2019091569.tif 000003
【図２】
2019091569.tif 000004
【図３】
2019091569.tif 000005
【図４】
2019091569.tif 000006
【図５】
2019091569.tif 000007
【図６】
2019091569.tif 000008
【図７】
2019091569.tif 000009
【図８】
2019091569.tif 000010
【図９】
2019091569.tif 000011
【図１０】
2019091569.tif 000012
【図１１】
2019091569.tif 000013
【図１２】
2019091569.tif 000014
【図１３】
2019091569.tif 000015
【図１４】
2019091569.tif 000016
【図１５】
2019091569.tif 000017
【図１６】
2019091569.tif 000018
【図１７】
2019091569.tif 000019